(57)【要約】【課題】ボウル部の内面に衝突する小水の跳ね返りを比較的抑制することができ、使用者の小水が、ボウル部の上方に座っている使用者自身に跳ね返ってくること、及びリム部からボウル部の外側に飛散する又は流出することを抑制することができる水洗大便器を提供する。【解決手段】本発明の水洗大便器１は、ボウル形状の汚物受け面１４と、この汚物受け面の上縁部に形成され、内周面の上部が鉛直方向に立ち上がるように形成されたたリム部１６と、を備えたボウル部６と、ボウル部に洗浄水を吐水して旋回流を形成する吐水部１２と、を有し、ボウル部６の前部領域６ａにおいて、汚物受け面の上部の水平方向における第１の弧状の内面３２の曲率Ｒ１と、鉛直方向に立ち上がるリム部の下部の内周面と汚物受け面とにより形成される垂直方向における第２の弧状の内面３４の曲率Ｒ２の比が、１：３〜３：１の範囲の比となっている。【選択図】図２
2017053133.tif 000002
【特許請求の範囲】
【請求項１】
洗浄水源から供給される洗浄水により便器本体を洗浄して汚物を排出する水洗大便器であって、
ボウル形状の汚物受け面と、この汚物受け面の上縁部に形成され、内周面の上部が鉛直方向に立ち上がるように形成されたリム部と、を備えたボウル部と、
このボウル部の下方に入口が接続され汚物を排出する排水路と、
上記ボウル部に洗浄水を吐水して旋回流を形成する吐水部と、
上記吐水部に洗浄水を供給する導水路と、
上記導水路に洗浄水を供給する給水装置と、を有し、
上記ボウル部の前部領域において、上記汚物受け面の上部の水平方向における第１の弧状の内面の曲率Ｒ１と、鉛直方向に立ち上がる上記リム部の下部の内周面と上記汚物受け面とにより形成される垂直方向における第２の弧状の内面の曲率Ｒ２の比が、１：３〜３：１の範囲の比となっていることを特徴とする水洗大便器。
【請求項２】
上記ボウル部の上記前部領域は、上記ボウル部のボウル開口を左右に二等分する前後方向軸線と、上記ボウル開口を前後に二等分する左右方向軸線との交点を原点とし、この原点を中心とする中心角２０度以上１００度以下の範囲の領域に形成されている請求項１に記載の水洗大便器。
【請求項３】
上記ボウル部の上記前部領域において、上記第１の弧状の内面の曲率Ｒ１と、上記第２の弧状の内面の曲率Ｒ２とが、同一に形成されている請求項１又は２に記載の水洗大便器。
【請求項４】
上記リム部は、このリム部の上面を形成するリム上面部と、上記リム部の外周を形成するリム外壁部と、上記リム部の内周を形成するリム内壁部と、を備え、
上記リム外壁部は、上記ボウル部の上記前部領域において、上記リム外壁部の上部領域の外側が下方に傾斜するリム外壁上部傾斜面を有し、
上記リム内壁部は、上記ボウル部の上記前部領域において、上記リム内壁部の上部領域の内側が下方に傾斜するリム内壁上部傾斜面を有し、
上記リム内壁上部傾斜面の水平方向の幅は上記リム外壁上部傾斜面の水平方向の幅よりも大きく形成されている、請求項１乃至３の何れか１項に記載の水洗大便器。
【発明の詳細な説明】
【技術分野】
【０００１】
本発明は、水洗大便器に係り、特に、洗浄水源から供給される洗浄水により便器本体を洗浄して汚物を排出する水洗大便器に関する。
【背景技術】
【０００２】
従来においては、特許文献１に記載されているように、ボウル形状の汚物受け面と、ボウル部の上縁部に沿って形成されたリム部と、これら汚物受け面とリム部との間にほぼ全周にわたって形成された棚部とを備え、吐水口から吐水された洗浄水が水勢を比較的強く維持しながら棚部上を周回するように流れ、汚物受け面全体に旋回するような旋回流を形成する水洗大便器が知られている。
【先行技術文献】
【特許文献】
【０００３】
【特許文献１】特開２０１３−４４１７７号公報
【発明の概要】
【発明が解決しようとする課題】
【０００４】
近年、水洗大便器において、立った状態のみならず便座に座った状態で小便のみをする男性が増えてきており、男性及び女性が水洗大便器の便座に座った状態で小便をする場合に、使用者の小水が、ボウル部の前部の棚部又は内方に突出する汚物受け面に当たり、ボウル部の上方側及び/又はボウル部の外側に跳ね返り、ボウル部の上方に座っている使用者自身に跳ね返ってくること、及びリム部の上端からボウル部の外側に飛散する又は流れ出てしまう可能性があることが問題となっている。
より具体的には、特許文献１に示すような従来の特許文献におけるボウル部の前部においては、棚部は、ボウル部の前面の内周面から内方に水平に突出するように形成されている。このような棚部に小水が斜め上方から落下して衝突する場合、突出した棚部が小水を跳ね返すように機能してしまい、衝突後の小水が棚部の上方、上方外側、使用者側等に飛び散るように跳ね返りやすいという問題が生じる。
【０００５】
そこで、特許文献１に示すような従来の水洗大便器のボウル部の前部においては、リム部の上縁部をその上縁部が内方に突出するオーバーハング形状に形成することにより、男子小便及び女子小便が棚部や汚物受け面に衝突する際の小水の跳ね返りが生じた場合に、小水の跳ねをこのリム部の上縁部に当て、便器外部まで飛散することを抑制していた。
【０００６】
これに対し、便器本体の側方や後方側の領域におけるリム部の内周面を鉛直方向に立ち上げる形状に形成することによって、上縁部が内方に突出するオーバーハング形状を有するリム部よりも、ボウル部内の視認性を高め、ボウル部をより広く見せて使用者が便器を使用する際の使いやすさや安心感を与えることが検討されている。また、そのような鉛直方向に立ち上がるリム部の上縁部を内側が下方に傾斜するような傾斜面により形成し、オーバーハング形状を有するリム部よりもリム部の清掃性を高めることも検討されている。
ボウル部の前部において、このような鉛直方向に立ち上がるように形成されたリム部を採用しようとすると、リム部がオーバーハング形状に形成されていないため、使用者の小水が、ボウル部の上方側及び/又はボウル部の外側に跳ね返り、ボウル部の上方に座っている使用者自身に跳ね返ってくること、及びリム部の上端からボウル部の外側に飛散する又は溢れ出てしまうことが、特に顕著な問題となる。
【０００７】
そこで、本発明は、ボウル部の内面に衝突する小水の跳ね返りを比較的抑制することができ、使用者の小水が、ボウル部の上方側及び/又はボウル部の外側に跳ね返り、ボウル部の上方に座っている使用者自身に跳ね返ってくること、及びリム部からボウル部の外側に飛散する又は流出することを抑制することができる水洗大便器を提供することを目的としている。
【課題を解決するための手段】
【０００８】
上述した目的を達成するために、洗浄水源から供給される洗浄水により便器本体を洗浄して汚物を排出する水洗大便器であって、ボウル形状の汚物受け面と、この汚物受け面の上縁部に形成され、内周面の上部が鉛直方向に立ち上がるように形成されたリム部と、を備えたボウル部と、このボウル部の下方に入口が接続され汚物を排出する排水路と、ボウル部に洗浄水を吐水して旋回流を形成する吐水部と、吐水部に洗浄水を供給する導水路と、導水路に洗浄水を供給する給水装置と、を有し、ボウル部の前部領域において、汚物受け面の上部の水平方向における第１の弧状の内面の曲率Ｒ１と、鉛直方向に立ち上がるリム部の下部の内周面と汚物受け面とにより形成される垂直方向における第２の弧状の内面の曲率Ｒ２の比が、１：３〜３：１の範囲の比となっていることを特徴としている。
このように構成された本発明においては、使用者の小水が当たりやすいボウル部の前部領域において、内方に突出する部分、例えば棚状の突出部分が形成されておらず、汚物受け面の上部の水平方向における第１の弧状の内面の曲率Ｒ１と、鉛直方向に立ち上がるリム部の下部の内周面と汚物受け面とにより形成される垂直方向における第２の弧状の内面の曲率Ｒ２の比が、１：３〜３：１の範囲の比となっており、水平方向及び垂直方向のいずれにおいても同様に内側が凹むように形成されている弧状の内面が、ボウル部の内面に衝突する小水の跳ね返りを比較的抑制することができる。従って、使用者の小水が、ボウル部の上方側及び/又はボウル部の外側に跳ね返り、ボウル部の上方に座っている使用者自身に跳ね返ってくること、及びリム部からボウル部の外側に飛散する又は流出することを抑制することができる。
【０００９】
本発明は、好ましくは、ボウル部の前部領域は、ボウル部のボウル開口を左右に二等分する前後方向軸線と、ボウル開口を前後に二等分する左右方向軸線との交点を原点とし、この原点を中心とする中心角２０度以上１００度以下の範囲の領域に形成されている。
このように構成された本発明においては、便座に座った状態で用を足す使用者の小水が当たりやすいボウル部の前部領域は、原点を中心とする中心角２０度以上１００度以下の範囲の領域に形成されている。このようなボウル部の前部領域において、内方に突出する部分、例えば棚状の突出部分が形成されておらず、水平方向及び垂直方向のいずれにおいても同様に内側が凹むように形成されている弧状の内面が、ボウル部の内面に衝突する小水の跳ね返りを比較的抑制することができる。従って、使用者の小水が、ボウル部の上方側及び/又はボウル部の外側に跳ね返り、ボウル部の上方に座っている使用者自身に跳ね返ってくること、及びリム部からボウル部の外側に飛散する又は流出することを抑制することができる。
【００１０】
本発明は、好ましくは、ボウル部の前部領域において、第１の弧状の内面の曲率Ｒ１と、第２の弧状の内面の曲率Ｒ２とが、同一に形成されている。
このように構成された本発明においては、使用者の小水が当たりやすいボウル部の前部領域において、内方に突出する部分、例えば棚状の突出部分が形成されておらず、第１の弧状の内面の曲率Ｒ１と、第２の弧状の内面の曲率Ｒ２とが、同一に形成され、より確実に、ボウル部の内面に衝突する小水の跳ね返りを抑制することができる。従って、より確実に、使用者の小水が、ボウル部の上方側及び/又はボウル部の外側に跳ね返り、ボウル部の上方に座っている使用者自身に跳ね返ってくること、及びリム部からボウル部の外側に飛散する又は流出することを抑制することができる。
【００１１】
本発明は、好ましくは、リム部は、このリム部の上面を形成するリム上面部と、リム部の外周を形成するリム外壁部と、リム部の内周を形成するリム内壁部と、を備え、リム外壁部は、ボウル部の前部領域において、リム外壁部の上部領域の外側が下方に傾斜するリム外壁上部傾斜面を有し、リム内壁部は、ボウル部の前部領域において、リム内壁部の上部領域の内側が下方に傾斜するリム内壁上部傾斜面を有し、リム内壁上部傾斜面の水平方向の幅はリム外壁上部傾斜面の水平方向の幅よりも大きく形成されている。
このように構成された本発明においては、リム内壁上部傾斜面の水平方向の幅がリム外壁上部傾斜面の水平方向の幅よりも大きく形成され、汚物受け面の上部が外側に広がるように視認される使用者の視認性を向上させ及び使用者のリム部の清掃性を向上させようとする場合において、リム内壁部のうち、ボウル部の前部領域において、リム内壁部の上部にリム内壁上部傾斜面が形成されるため、リム部のほぼ鉛直方向に立ち上がる内周面の上部の高さが比較的低い高さに形成され、その分、小水がボウル部の外側に飛散する又は流出しやすくなる。本発明は、このようなリム内壁上部傾斜面を有するようなリム部を備えた水洗大便器においても、水平方向及び垂直方向のいずれにおいても同様に内側が凹むように形成されている弧状の内面が、ボウル部の内面に衝突する小水の跳ね返りを比較的抑制することができる。従って、使用者の小水が、ボウル部の上方側及び/又はボウル部の外側に跳ね返り、ボウル部の上方に座っている使用者自身に跳ね返ってくること、及びリム部からボウル部の外側に飛散する又は流出することを抑制することができる。
【発明の効果】
【００１２】
本発明の水洗大便器によれば、ボウル部の内面に衝突する小水の跳ね返りを比較的抑制することができ、使用者の小水が、ボウル部の上方側及び/又はボウル部の外側に跳ね返り、ボウル部の上方に座っている使用者自身に跳ね返ってくること、及びリム部からボウル部の外側に飛散する又は流出することを抑制することができる。
【図面の簡単な説明】
【００１３】
【図１】本発明の第１実施形態による水洗大便器において、便座及び給水装置の一部を取り外した状態を示す平面図である。
【図２】本発明の第１実施形態による水洗大便器の便器本体の内部を中央断面に沿って示す中央断面図である。
【図３】図１のIII−III線に沿って見た断面図である。
【図４】本発明の第１実施形態による水洗大便器のボウル部の前部領域の変形例を示す、便器本体の内部を中央断面に沿って示す中央断面図である。
【図５】本発明の第２実施形態による水洗大便器の便器本体のリム部の変形例を示す、便器本体の内部を中央断面に沿って示す中央断面図である。
【図６】図５のボウル部の前部のリム部の中央断面を拡大して示す断面図である。
【発明を実施するための形態】
【００１４】
次に、添付図面を参照して、本発明の第１実施形態による水洗大便器を説明する。
先ず、図１乃至図３により、本発明の第１実施形態による水洗大便器の構造を説明する。ここで、図１は本発明の第１実施形態による水洗大便器において、便座及び給水装置の一部を取り外した状態を示す平面図であり、図２は、本発明の第１実施形態による水洗大便器の便器本体の内部を中央断面に沿って示す中央断面図であり、図３は図１のIII−III線に沿って見た断面図である。以下、本発明の実施形態における説明において、便器本体２を便器本体２を使用する使用者側から見て手前側を前方側とし、使用者から見て奥側を後方側とし、便器本体２を前方から見て右側を右側とし、前方から見て左側を左側として説明している。
【００１５】
図１及び図２に示すように、本発明の第１実施形態による水洗大便器１は、便器本体２と、この便器本体２の上面に配置された便座（図示せず）と、便器本体２の後方に配置された給水装置４と、を備えている。
【００１６】
便器本体２は陶器製であり、便器本体２には、汚物を受けるボウル部６と、このボウル部６の底部から延びる排水トラップ管路８（排水路）と、ジェット吐水を行うジェット吐水口１０と、リム吐水を行う単一のリム吐水口１２（吐水部）が形成されている。
ジェット吐水口１０は、ボウル部６の底部に形成されており、排水トラップ管路８の入口に指向してほぼ水平に配置され、洗浄水を排水トラップ管路８に向けて吐出するようになっている。
【００１７】
リム吐水口１２は、ボウル部６の前部領域６ａの手前の、ボウル部６の左側前方領域に形成されており、ボウル部６の縁に沿って前方に向けて洗浄水を吐出するようになっている。リム吐水口１２は、ボウル部６内に洗浄水を吐水して汚物受け面１４上に旋回流を形成するように形成されている。リム吐水口１２は、リム部１６の下部且つ汚物受け面１４の上方において形成されている。リム吐水口１２は、リム吐水口１２の近傍においては、リム吐水口１２の流路の底面が棚部１８と連続する平坦面を形成している。本実施形態においては、リム吐水口１２は、ボウル部６の前部領域６ａ以外の部分のうち、ボウル部６の左側前方領域に形成されているが、リム吐水口１２は、ボウル部６の前部領域６ａ以外の部分のうちの他の領域に形成されていてもよく、例えば、ボウル部６の左側後方領域に形成し前方に向けて洗浄水を吐水するようにしてもよく、ボウル部６の右側前方領域に形成し後方に向けて洗浄水を吐水するようにしてもよい。
なお、本実施形態においては、便器本体２にジェット吐水口１０が形成されているが、本発明はこのような形態に限定されるものではなく、例えば、ジェット吐水口とリム吐水口の内、ジェット吐水口が形成されずリム吐水口のみが形成されてもよい。
【００１８】
排水トラップ管路８は、入口部８ａと、この入口部８ａから上昇するトラップ上昇管８ｂと、このトラップ上昇管８ｂから下降するトラップ下降管８ｃとからなっている。
【００１９】
第１実施形態による水洗大便器１は、洗浄水を供給する水道に直結されており、水道の給水圧力によりリム吐水口１２から洗浄水が吐出される。また、ジェット吐水に関しては、給水装置４に内蔵された貯水タンク（図示せず）に貯水された洗浄水を加圧ポンプ（図示せず）によって加圧して、大流量でジェット吐水口１０から吐出させるようになっている。
【００２０】
本実施形態における水洗大便器１は、リム吐水に関しては水道の水圧（直圧）を利用して給水して便器を洗浄し、さらに、ジェット吐水に関しては、貯水タンク（図示せず）に貯水された洗浄水を加圧ポンプ（図示せず）によって加圧してジェット吐水口１０から吐出させるようになっているハイブリッド式（水道直圧式＋タンク給水式）の給水装置を有するハイブリッド式水洗大便器である。
なお、水洗大便器１の給水装置４は、ハイブリッド式の給水装置以外にも適用可能である。例えば、水道の水圧を利用して給水する水道直圧式の給水装置のみを備えている水道直圧式の水洗大便器や、重力給水式の貯水タンクを備えたタンク式の水洗大便器や、フラッシュバルブ式のものや、ポンプの補圧を利用して洗浄水を供給するものであってもよい。また、アキュムレーター等を用いて便器に洗浄水を供給するタイプの給水装置であってもよい。
【００２１】
ボウル部６は、ボウル形状に形成された汚物受け面１４と、ボウル部６の全周の上方外側に形成されて便器本体２の上部縁を形成するリム部１６と、これら汚物受け面１４とリム部１６との間に形成された棚部１８と、を備えている。また、ボウル部６の下方には、溜水部２０が形成されている。この溜水部２０には洗浄水が毎回の洗浄後に所定量まで貯溜されて溜水面Ｗ0が形成されている。この溜水部２０の下方には、上述した排水トラップ管路８の入口部８ａが開口し、排水トラップ管路８のトラップ下降管８ｃの下端は排水ソケット（図示せず）を介して床下の排出管（図示せず）に接続されている。なお、本実施形態においては、トラップ下降管８ｃの下端は、排水ソケットを介して床下の排出管に接続されているが、本発明はこのような形態に限定されるものではなく、例えば、トラップ下降管の下端が排水ソケットを介さず床下の排出管に接続されてもよく、床上に立ち上げた排出管に排水ソケットを介して又は介さずに接続されてもよい。
ボウル部６には、ボウル部６の全周の上方外側に形成されたリム部１６の内側にボウル開口７が形成されている。
【００２２】
導水路２２は、給水装置４から延びるリム側給水路２４に接続される入口部２２ａから前方に延び、ボウル部６の前方側領域の左側において前向きに開口するリム吐水口１２と連通している。リム吐水口１２は、ボウル部６を前後に二等分する左右方向に延びる左右方向軸線に対して前方側に位置決めされている。
リム吐水口１２は、洗浄水をボウル部６の前方側領域から前方に吐水し、ボウル部６の前部領域６ａに向かう流れを形成し、さらにボウル部６の前部領域６ａから折り返して、ボウル部６のリム吐水口１２と反対側の棚部１８上を、後方側に向かう流れを形成するようになっている。
【００２３】
リム吐水口１２から吐水される洗浄水は、リム吐水口１２からリム部１６と汚物受け面１４との間の棚部１８上又はリム部１６のリム内壁部２６上に便器前方方向に吐水されて旋回流が形成され、この旋回流がリム部１６のリム内壁部２６から汚物受け面１４上を溜水部２０の方向に旋回しながら流下する下降流が形成されるようになっている。
【００２４】
つぎに、図１〜図３により、リム部１６について詳細に説明する。
リム部１６は、リム部１６の内周面を形成し且つ汚物受け面１４の上端１４ａから便器本体２の頂部までの全部又は一部がほぼ鉛直方向に立ち上がるように立壁状に形成されているリム内壁部（内周面）２６と、このリム部１６の上面を形成するリム上面部２８と、リム部１６の外周面を形成し且つ便器本体２の外面上をリム上面部２８まで立ち上がるように立壁状に形成されているリム外壁部３０と、を備えている。
【００２５】
リム内壁部２６は、リム部１６の内側の全周にわたって形成され、大部分の領域においてほぼ鉛直方向に立ち上がるように形成されている。なお、リム内壁部２６がほぼ鉛直方向に立ち上がるように形成されている場合には、リム内壁部２６の全部又は一部の上部がボウル部６の内側に向かってわずかにオーバーハングした形状に形成されているような場合を含み、さらに、リム内壁部２６の全部又は一部の上部がボウル部６の外側に向かってわずかに広がるような傾斜を有する形状に形成されているような場合も含んでいる。
また、リム内壁部２６がほぼ鉛直方向に立ち上がるように形成されている場合には、高さ方向において、リム内壁部２６の一部がほぼ鉛直方向に立ち上がるように形成されている場合を含んでいる。
【００２６】
棚部１８は、リム部１６と汚物受け面１４との間において横向きに延びる平坦面を形成している。図３に示すように、棚部１８は、ボウル部６の上方から見た場合に、リム部１６の下端且つ汚物受け面１４の上縁において、リム部１６の下端から内側に突出するように形成されている。リム部１６と汚物受け面１４との間において横向きの平坦な棚部１８が形成されることにより、洗浄水が棚部１８上に載りやすく、棚部上を旋回しやすくなっている。
棚部１８は、ボウル部６のうち、ボウル部６の前部領域６ａ以外の部分、すなわち、ボウル部６の前部領域６ａより後方側の右側領域６ｂ及び左側領域６ｃ並びに後部領域６ｄにおいて形成されている。従って、リム吐水口１２から吐水された洗浄水が、ボウル部６の前部領域６ａを通過した後、右側領域６ｂの棚部１８から、後部領域６ｄの棚部１８上を流れ、左側領域６ｃの棚部１８まで旋回するように流れやすくなっている。後述するように、ボウル部６の前部領域６ａにおいては、棚部１８は形成されていない。このように、ボウル部６の前部領域６ａにおいて棚部１８が形成されていない場合においても、洗浄水が、汚物受け面１４の上縁の棚部１８上を旋回するように流れやすく形成されるので、棚部１８から流下する洗浄水が汚物受け面１４上に旋回流を形成しやすくなり、汚物受け面１４を満遍なく洗い流すことができる。
このように、棚部１８は、リム吐水口１２から吐水された洗浄水を、汚物受け面１４全体を周回するように旋回流を形成させる機能を果たしている。本実施形態においては、ボウル部６の前部領域６ａにおいて、棚部１８を形成せずに汚物受け面１４の第１の弧状の内面３２を形成し、ボウル部６の前部領域６ａ以外の領域において棚部１８を形成することにより、リム吐水口１２から吐水された洗浄水を、汚物受け面１４全体を周回するように旋回流を形成させることができる。
【００２７】
つぎに、図１〜図３により、ボウル部６の前部領域６ａについて詳細に説明する。
ボウル部６の前部領域６ａは、ボウル部６のボウル開口７を左右に二等分する前後方向軸線Ａ１と、ボウル開口７を前後に二等分する左右方向軸線Ａ２との交点を原点（中心点）Ｃとし、この原点Ｃを中心とする中心角２０度以上１００度以下の範囲、且つ前後方向軸線Ａ１に対して左右対称な範囲の角度範囲領域Ｄ内の領域に形成されている。
【００２８】
ボウル部６の前部領域６ａにおいて、リム内壁部２６の上部の鉛直部２６ａがほぼ鉛直方向に立ち上がるように形成されている。ボウル部６の前部領域６ａにおいて、ほぼ鉛直方向に立ち上がるリム内壁部２６の上部の鉛直部２６ａから下方側のリム部１６のリム内壁部２６と汚物受け面１４とにより球面状の曲面が形成されている。ボウル部６の前部領域６ａの球面状の曲面が形成されている領域においては、棚部１８が省略されており、リム部１６のリム内壁部２６又は汚物受け面１４からボウル部６内方側に向かって突出するような凸部又は段部等の部分が形成されていない領域となっている。この球面状の曲面は、ボウル部６の外側（便器本体２の正面側）に向かって突出するような曲面を形成し、ボウル部６の内側に向かって凹むように湾曲された曲面を形成している。ボウル部６の前部領域６ａにおいては、ボウル部６の内側に突出するような部分が形成されておらず、前部領域６ａに衝突する小水が前部領域６ａに沿って広がりやすく、前部領域６ａに衝突する小水が前部領域６ａから跳ね返る場合にも、前部領域６ａからボウル部６の内側且つ下方に向かって跳ね返りやすくなっている。
【００２９】
図１に示すように、ボウル部６の前部領域６ａにおいて、水平方向においては、汚物受け面１４の上端１４ａ近傍の水平方向における第１の弧状の内面３２が形成されている。第１の弧状の内面３２は、複数の円弧、曲線又は直線が接続されて複合的な弧として形成されているが、単一の円弧により形成されていてもよい。第１の弧状の内面３２は、複数の円弧、曲線又は直線が接続された弧により形成されているため、第１の弧状の内面３２の曲率Ｒ１は、第１の弧状の内面３２に概ね沿うような曲率として定義されている。第１の弧状の内面３２は、ボウル部６の外側に向かって突出するような弧を描くように形成されている。
【００３０】
図１及び図２に示すように、ボウル部６の前部領域６ａにおいて、垂直方向においては、ほぼ鉛直方向に立ち上がるように形成されているリム内壁部２６の上部の鉛直部２６ａから下方側のリム内壁部２６と汚物受け面１４とにより形成される第２の弧状の内面３４が形成されている。第２の弧状の内面３４は、複数の円弧、曲線又は直線が接続されて複合的な弧として形成されている。第２の弧状の内面３４は、複数の円弧、曲線又は直線が接続された弧により形成されているため、第２の弧状の内面３４の曲率Ｒ２は、第２の弧状の内面３４に概ね沿うような曲率として定義されている。第２の弧状の内面３４は、ボウル部６の外側に向かって突出するような弧を描くように形成されている。本実施形態においては、鉛直部２６ａの下端に第２の弧状の内面３４が接続されているが、変形例として、第２の弧状の内面３４の上端が鉛直方向に延びるように形成されることにより、鉛直部が形成されていてもよい。
【００３１】
本実施形態においては、第２の弧状の内面３４は、複数の円弧、曲線又は直線が接続されて複合的な弧として形成されているが、変形例として、図４に示すように、第２の弧状の内面３５は、単一の円弧のみにより形成されていてもよい。このとき、リム内壁部２６の上部の鉛直部２６ａから下方側のリム内壁部２６と汚物受け面１４とにより形成される第２の弧状の内面３５が、単一の円弧のみに沿ってより滑らかな形状に形成されることができる。変形例における、第２の弧状の内面３５の曲率Ｒ３は、第２の弧状の内面３５に沿うような円弧の曲率として定義される。第２の弧状の内面３５が、単一の円弧のみに沿ってより滑らかな形状に形成されることにより、より確実に、ボウル部６の内面に衝突する小水の跳ね返りを抑制することができる。
【００３２】
第１の弧状の内面３２は、その曲率半径が４０ｍｍ（ミリメートル）〜１２０ｍｍの範囲の曲率半径、好ましくは５０ｍｍ〜１００ｍｍの範囲の曲率半径、を有するような弧の形状に形成されている。
第１の弧状の内面３２は、前後方向軸線Ａ１を中心に左右対称に形成され、その右側端部３２ａ及び左側端部３２ｂが、原点Ｃを中心とする中心角２０度以上１００度以下の範囲の角度領域Ｄ内に位置するように形成されている。
従って、第１の弧状の内面３２は、立った状態及び座った状態で用を足す使用者の小水がボウル部６に比較的衝突しやすいとされる領域のうち、特に座った状態で用を足す使用者の小水がボウル部６に比較的衝突しやすいとされる領域、すなわち原点Ｃを中心とする中心角２０度以上１００度以下の範囲の角度領域Ｄ内に位置する。従って、多くの小水が第１の弧状の内面３２に衝突した際に、所定の大きさの曲率半径を有する弧の内側（ボウル部６の内側）に向かって流れ落ちやすくされ、使用者やボウル部６の外方に向かって跳ね返ることや、使用者の小水がリム部に沿って上昇しリム部の上端からボウル部の外側に溢れるように流れ出てしまうことが抑制される。
また、第１の弧状の内面３２は、上述するように所定の曲率を有し且つ内方に突出する部分（例えば流路を遮るような凸部）が形成されていないことから、棚部１８の形成されていない前部領域６ａにおいて、棚部１８と棚部１８との間の切れ目の領域を一定の弧状の曲面で接続し、上流側の棚部１８から流入する洗浄水の旋回しようとする流れを比較的維持した状態で、下流側の棚部１８に引き継がせ、旋回させる流れを形成させることができる。
【００３３】
第２の弧状の内面３４は、その曲率半径が４０ｍｍ〜１２０ｍｍの範囲の曲率半径、好ましくは５０ｍｍ〜１００ｍｍの範囲の曲率半径、を有するような弧の形状に形成されている。
第２の弧状の内面３４は、前後方向軸線Ａ１上に形成されている。第２の弧状の内面３４は、リム上面部２８から１４０ｍｍまでの高さの範囲内に形成され、より好ましくはリム上面部２８から１２０ｍｍまでの高さの範囲内に形成されている。
また、第２の弧状の内面３４は、前部領域６ａ近傍における棚部１８の高さから、第２の弧状の内面３４の上端３４ａが棚部１８より上方に８０ｍｍまでの高さ、より好ましくは棚部１８より上方に５０ｍｍまでの高さの範囲に形成されている。また、第２の弧状の内面３４の下端３４ｂが棚部１８より下方に８０ｍｍまでの高さ、より好ましくは棚部１８より下方に３０ｍｍまでの高さの範囲に形成されている。
【００３４】
第２の弧状の内面３４は、上述のような所定の範囲の領域、すなわち、座った状態で用を足す使用者の小水がボウル部６に比較的衝突しやすいとされる領域に形成されている。このような使用者の小水がボウル部６に比較的衝突しやすいとされる領域において、上向きの平坦面を形成するような棚部が形成されておらず、使用者が行う小水が、使用者自身及びボウル部６の外方又は上方に向かって跳ね返ることや、使用者の小水がリム部に沿って上昇しリム部の上端からボウル部の外側に溢れてしまうことが抑制される。また、第２の弧状の内面３４は、上述のような棚部及び他の突出部が形成されておらず、内面が窪むような弧の形状に形成され、第２の弧状の内面３４に衝突した小水が所定の大きさの曲率半径を有する弧の内側（ボウル部６の内側）に向かって流れ落ちやすくされている。
【００３５】
ボウル部６の前部領域６ａにおいて、汚物受け面１４の上端１４ａ近傍の水平方向における第１の弧状の内面３２の曲率（曲率半径）Ｒ１と、ほぼ鉛直方向に立ち上がるリム内壁部２６の上部から下方側のリム部１６のリム内壁部２６と汚物受け面１４とにより形成される垂直方向における第２の弧状の内面３４の曲率（曲率半径）Ｒ２の比が、１：３〜３：１の範囲の比となっている。
本発明の水洗大便器は、第１の弧状の内面３２と、第２の弧状の内面３４とを有していれば、ボウル部の内面に衝突する小水の跳ね返りを抑制することができるが、さらに、第１の弧状の内面３２の曲率Ｒ１と、第２の弧状の内面３４の曲率Ｒ２とが、上述の所定の比の範囲内の関係を有しているようなさまざまな形状の水洗大便器に適用した場合に、より確実に、ボウル部の内面に衝突する小水の跳ね返りを抑制することができる。
【００３６】
また、ボウル部６の前部領域６ａにおいて、汚物受け面１４の上端１４ａ近傍の水平方向における第１の弧状の内面３２の曲率Ｒ１と、ほぼ鉛直方向に立ち上がるリム内壁部２６の下部側のリム部１６のリム内壁部２６と汚物受け面１４とにより形成される垂直方向における第２の弧状の内面３４の曲率Ｒ２とが、ほぼ同一である場合においては、ボウル部６の前部領域６ａにおける垂直方向及び水平方向の形状がほぼ同様の形状となり上下左右が対称の形状となることから、より確実に、ボウル部の内面に衝突する小水の跳ね返りを抑制することができる。また、小水の衝突する部分が徐々に変化する場合においても、より確実に、ボウル部の内面に衝突する小水の跳ね返りを抑制することができる。
【００３７】
また、上述した本発明の第１実施形態による水洗大便器１によれば、ボウル部６内に立った状態や座った状態で用を足す使用者の小水、特に便座に座った状態で用を足す使用者の小水が当たりやすいボウル部６の前部領域６ａにおいて、内方に突出する部分、例えば棚状の突出部が形成されておらず、汚物受け面１４の上部の水平方向における第１の弧状の内面３２の曲率Ｒ１と、ほぼ鉛直方向に立ち上がるリム部１６の下部の内周面と汚物受け面１４とにより形成される垂直方向における第２の弧状の内面３４の曲率Ｒ２の比が、１：３〜３：１の範囲の比となっており、水平方向及び垂直方向のいずれにおいても内側が凹むように形成されている第２の弧状の内面３４及び第１の弧状の内面３２が、ボウル部６の内面に衝突する小水の跳ね返りを比較的抑制することができる。従って、使用者の小水が、ボウル部６の上方側及び/又はボウル部６の外側に跳ね返り、ボウル部６の上方に座っている使用者自身に跳ね返ってくること、及びリム部１６からボウル部６の外側に飛散する又は流出することを抑制することができる。
【００３８】
また、上述した本発明の第１実施形態による水洗大便器１によれば、便座に座った状態で用を足す使用者の小水が当たりやすいボウル部６の前部領域６ａは、原点Ｃを中心とする中心角２０度以上１００度以下の範囲の領域に形成されている。このようなボウル部６の前部領域６ａにおいて、内方に突出する部分、例えば棚状の突出部分が形成されておらず、水平方向及び垂直方向のいずれにおいても同様に内側が凹むように形成されている弧状の内面が、ボウル部６の内面に衝突する小水の跳ね返りを比較的抑制することができる。従って、使用者の小水が、ボウル部６の上方側及び/又はボウル部６の外側に跳ね返り、ボウル部６の上方に座っている使用者自身に跳ね返ってくること、及びリム部１６からボウル部６の外側に飛散する又は流出することを抑制することができる。
【００３９】
また、上述した本発明の第１実施形態による水洗大便器によれば、使用者の小水が当たりやすいボウル部６の前部領域６ａにおいて、内方に突出する部分、例えば棚状の突出部分が形成されておらず、第１の弧状の内面３２の曲率Ｒ１と、第２の弧状の内面３４の曲率Ｒ２とが、ほぼ同一に形成され、より確実に、ボウル部６の内面に衝突する小水の跳ね返りを比較的抑制することができる。従って、より確実に、使用者の小水が、ボウル部６の上方側及び/又はボウル部６の外側に跳ね返り、ボウル部６の上方に座っている使用者自身に跳ね返ってくること、及びリム部１６からボウル部６の外側に飛散する又は流出することを抑制することができる。
【００４０】
次に、図５及び図６により、本発明の第２実施形態による水洗大便器を説明する。
第２実施形態は、本発明の第１実施形態による水洗大便器１の便器本体２のリム部１６の形状を、本発明の第２実施形態による水洗大便器１０１においては、リム部１６の上部に傾斜面を形成した形状とした例である。
図５は、本発明の第２実施形態による水洗大便器の便器本体のリム部の変形例を示す、便器本体の内部を中央断面に沿って示す中央断面図であり、図６は図５のボウル部の前部のリム部の中央断面を拡大して示す断面図である。第２実施形態による水洗大便器は、上述した第１実施形態による水洗大便器と構造がほぼ同じであるため、ここでは、第２実施形態の第１実施形態とは異なる部分等を説明する。
【００４１】
図５及び図６に示すように、第２実施形態による水洗大便器１０１においては、リム部１１６は、リム部１１６の内周面を形成し且つ汚物受け面１４の上端１４ａから便器本体１０２の頂部までの全部又は一部がほぼ鉛直方向に立ち上がるように立壁状に形成されているリム内壁部（内周面）１２６と、このリム部１１６の上面を形成し且つほぼ水平に延びる平面を形成するリム上面部１２８と、リム部１１６の外周面を形成し且つ便器本体２の外面上をリム上面部１２８まで立ち上がるように立壁状に形成されているリム外壁部１３０と、を備えている。
【００４２】
リム外壁部１３０は、少なくともボウル部６の前部領域６ａにおいて、リム外壁部１３０の上部領域の上端がやや内側のリム上面部１２８に接続され、この上部領域の外側が下方に傾斜するリム外壁上部傾斜面１３０ａを有している。また、リム内壁部１２６は、少なくともボウル部６の前部領域６ａにおいて、リム内壁部１２６の上部領域の上端がやや外側のリム上面部１２８に接続され、この上部領域の内側（汚物受け面１４側）が下方に傾斜するリム内壁上部傾斜面１２６ｂを有している。リム内壁上部傾斜面１２６ｂの水平方向の幅Ｗ１はリム外壁上部傾斜面１３０ａの水平方向の幅Ｗ２よりも大きく形成されている。リム内壁上部傾斜面１２６ｂの下側に、リム内壁部１２６の上部の鉛直部１２６ａが接続されている。ボウル部６の前部領域６ａにおいて、リム内壁部１２６の上部の鉛直部１２６ａがほぼ鉛直方向に立ち上がるように形成されている。
【００４３】
リム外壁上部傾斜面１３０ａは、リム上面部１２８とリム外壁部１３０との間で、角が丸められた縁部を形成している。リム外壁上部傾斜面１３０ａは、外側上方に向かって突出するアール形状を形成している。別の言い方によると、リム上面部１２８とリム外壁部１３０とを接続する円弧形状を形成している。また、リム外壁上部傾斜面１３０ａは、リム上面部１２８とリム外壁部１３０との間に形成される傾斜面が丸みを帯びるように連続的に変化する曲面により形成されていてもよい。また、リム外壁上部傾斜面１３０ａの横向きのリム上面部１２８と縦向きのリム外壁部１３０とをなめらかに連結する傾斜部は、角を斜めに切り落とすような面取り面のような形状により形成されていてもよい。すなわち、リム上面部１２８とリム外壁部１３０との間が所定の角度の平坦面により形成されていてもよい。
【００４４】
リム内壁上部傾斜面１２６ｂは、横向きのリム上面部１２８と縦向きの鉛直部１２６ａとの間のコーナー部をなめらかに連結する傾斜部を形成している。リム内壁上部傾斜面１２６ｂは、ボウル部６の中央上方に向かって突出するようなアール形状を形成している。別の言い方によれば、リム上面部１２８とリム内壁部１２６とを接続する円弧形状を形成している。リム内壁上部傾斜面１２６ｂは、リム上面部１２８とリム内壁部１２６との間の面の一部に比較的平坦な面を含みながら、全体的に丸みを帯びるように曲げられている面形状に形成されていてもよい。また、リム内壁上部傾斜面１２６ｂの横向きのリム上面部１２８と縦向きのリム内壁部１２６とをなめらかに連結する傾斜部は、角を斜めに切り落とすような面取り面のような形状により形成されていてもよい。すなわち、リム上面部１２８とリム内壁部１２６との間が所定の角度の平坦面により形成されていてもよい。
【００４５】
リム内壁部１２６の上部にリム内壁上部傾斜面１２６ｂが形成されているので、使用者が自身の手指をリム内壁上部傾斜面１２６ｂに沿わせるように配置する場合に、自身の手指とリム内壁上部傾斜面１２６ｂの面との間に空間を生じさせることを抑制し、手指を全体的に曲面に沿うように自然に配置することができる。よって、使用者が便器本体１０２のリム部１１６を清掃しようとする場合に、使用者はこのリム上面部１２８に掌等を水平に沿うように配置した状態で、手指をリム内壁上部傾斜面１２６ｂに沿って自然に配置（手袋や掃除用具を介して手指を沿わせて配置している場合も含む）することができ、手指とリム部１１６との間に空間を比較的大きな空間を生じることなく、リム内壁上部傾斜面１２６ｂ及びリム内壁部１２６を清掃しやすくなっている。また、使用者が手指を無理に曲げることなくリム上面部１２８とリム内壁上部傾斜面１２６ｂとリム内壁部１２６と接した状態とすることができるので、使用者が清掃のために必要とする力を比較的容易に手指にかけることができる。従って、リム上面部１２８及びリム内壁上部傾斜面１２６ｂ及びリム内壁部１２６の清掃性も向上されることとなる。
【００４６】
図５及び図６に示すように、ボウル部６の前部領域６ａにおいて、垂直方向においては、ほぼ鉛直方向に立ち上がるように形成されているリム内壁部１２６の上部の鉛直部１２６ａから下方側のリム内壁部１２６と汚物受け面１４とにより形成される第２の弧状の内面３４が形成されている。
また、第２実施形態においても、第１実施形態と同様に、ボウル部６の前部領域６ａにおいて、水平方向においては、汚物受け面１４の上端１４ａ近傍の水平方向における第１の弧状の内面３２が形成されている。また、第２実施形態においても、第１実施形態と同様に、ボウル部６の前部領域６ａにおいて、ほぼ鉛直方向に立ち上がるリム内壁部１２６の上部の鉛直部１２６ａから下方側のリム部１１６のリム内壁部１２６と汚物受け面１４とにより球面状の曲面が形成されている。
【００４７】
上述のように、リム内壁部１２６の上部にリム内壁上部傾斜面１２６ｂが形成されている場合には、鉛直部１２６ａの高さが比較的低く且つ長さが比較的短く形成されることとなり、さらにリム内壁部１２６の上部のリム内壁上部傾斜面１２６ｂが外側に傾いて形成されることとなるので、ボウル部６の前部領域６ａに向かって行われる小便が鉛直部１２６ａに沿って上昇した後リム内壁上部傾斜面１２６ｂからボウル部６の外側に溢れ出るように流出しやすくなり、さらに、リム内壁部１２６の鉛直部１２６ａの高さが比較的低くなっていることにより小便がボウル部６の外部に向かって飛散しやすくなる。
このような場合においても、リム内壁上部傾斜面１２６ｂ及び鉛直部１２６ａの下方側に配置された、第２の弧状の内面３４及び第１の弧状の内面３２により、ボウル部６の内面に衝突する小水の跳ね返りを比較的抑制し、さらに、小水の跳ね返りをボウル部６の外側方向又は上部方向に向かいにくくするように比較的抑制することができる。従って、使用者の小水が、ボウル部６の上方に座っている使用者自身に跳ね返ってくること、及びリム部１１６の上端からボウル部６の外側に流出してしまうことを抑制することができる。
【００４８】
本発明の第２実施形態による水洗大便器１０１においても、第１実施形態による水洗大便器１と同様に、使用者の小水が当たりやすいボウル部６の前部領域６ａにおいて、内方に突出する部分、例えば棚状の突出部分が形成されておらず、汚物受け面１４の上部の水平方向における第１の弧状の内面３２の曲率Ｒ１と、ほぼ鉛直方向に立ち上がるリム部１１６の下部の内周面と汚物受け面１４とにより形成される垂直方向における第２の弧状の内面３４の曲率Ｒ２の比が、１：３〜３：１の範囲の比となっており、水平方向及び垂直方向のいずれにおいても同様に内側が凹むように形成されている弧状の内面が、ボウル部６の内面に衝突する小水の跳ね返りを比較的抑制することができる。従って、使用者の小水が、ボウル部６の上方側及び/又はボウル部６の外側に跳ね返り、ボウル部６の上方に座っている使用者自身に跳ね返ってくること、及びリム部１１６からボウル部６の外側に飛散する又は流出することを抑制することができる。
【００４９】
また、上述した本発明の第２実施形態による水洗大便器１０１によれば、リム内壁上部傾斜面１２６ｂの水平方向の幅Ｗ１がリム外壁上部傾斜面１３０ａの水平方向の幅Ｗ２よりも大きく形成され、汚物受け面１４の上部が外側に広がるように視認される使用者の視認性を向上させ及び使用者のリム部１１６の清掃性を向上させようとする場合において、リム内壁部１２６のうち、ボウル部６の前部領域６ａにおいて、リム内壁部１２６の上部にリム内壁上部傾斜面１２６ｂが形成されるため、リム部１６のほぼ鉛直方向に立ち上がる内周面の上部の高さが比較的低い高さに形成され、その分、小水がボウル部６の外側に飛散する又は流出しやすくなる。本発明は、このようなリム内壁上部傾斜面１２６ｂを有するようなリム部１６を備えた水洗大便器１０１においても、水平方向及び垂直方向のいずれにおいても同様に内側が凹むように形成されている弧状の内面が、ボウル部６の内面に衝突する小水の跳ね返りを比較的抑制することができる。従って、使用者の小水が、ボウル部６の上方側及び/又はボウル部６の外側に跳ね返り、ボウル部６の上方に座っている使用者自身に跳ね返ってくること、及びリム部１６からボウル部６の外側に飛散する又は流出することを抑制することができる。
【符号の説明】
【００５０】
１        水洗大便器
２        便器本体
４        給水装置
６        ボウル部
６ａ      前部領域
６ｂ      右側領域
６ｃ      左側領域
６ｄ      後部領域
７        ボウル開口
８        排水トラップ管路
８ａ      入口部
８ｂ      トラップ上昇管
８ｃ      トラップ下降管
１０      ジェット吐水口
１２      リム吐水口
１４      汚物受け面
１４ａ    上端
１６      リム部
１８      棚部
２０      溜水部
２２      導水路
２２ａ    入口部
２４      リム側給水路
２６      リム内壁部
２６ａ    鉛直部
２８      リム上面部
３０      リム外壁部
３２      第１の弧状の内面
３２ａ    右側端部
３２ｂ    左側端部
３４      第２の弧状の内面
３４ａ    上端
３４ｂ    下端
３５      第２の弧状の内面
１０１    水洗大便器
１０２    便器本体
１１６    リム部
１２６    リム内壁部
１２６ａ  鉛直部
１２６ｂ  リム内壁上部傾斜面
１２８    リム上面部
１３０    リム外壁部
１３０ａ  リム外壁上部傾斜面
Ａ１      前後方向軸線
Ａ２      左右方向軸線
Ｃ        原点
Ｄ        角度領域
Ｒ１      曲率
Ｒ２      曲率
Ｒ３      曲率
Ｗ0       溜水面
Ｗ１      幅
Ｗ２      幅
【図１】
2017053133.tif 000003
【図２】
2017053133.tif 000004
【図３】
2017053133.tif 000005
【図４】
2017053133.tif 000006
【図５】
2017053133.tif 000007
【図６】
2017053133.tif 000008